(57)【特許請求の範囲】
【請求項１】
筒状に形成され端部に配置した光源から導入した光を周面から漏光させるライトガイドを用いた照明装置であって、光源に結合されライトガイドとは挿入結合される筒状の接続部材を設け、接続部材においてライトガイドと挿入結合される部位には内側になる部材の外径と外側になる部材の内径とが等しくなるように構成されかつライトガイドの軸方向の伸縮を許して接続部材とライトガイドとの相互の挿入深さを可変とするスライド部が形成されて成ることを特徴とするライトガイドを用いた照明装置。
【請求項２】
接続部材は、光源の出射面に対して光源寄りに延長された部位にスライド部を備え、スライド部がライトガイド内に挿入されることを特徴とする請求項１記載のライトガイドを用いた照明装置。
【請求項３】
接続部材は、光源の出射面に対して光源から離れる向きに延長された部位にスライド部を備え、スライド部とライトガイドとの少なくとも一方が他方に挿入されることを特徴とする請求項１記載のライトガイドを用いた照明装置。
【請求項４】
スライド部がライトガイド内に挿入されることを特徴とする請求項３記載のライトガイドを用いた照明装置。
【請求項５】
ライトガイドがスライド部内に挿入されることを特徴とする請求項３記載のライトガイドを用いた照明装置。
【請求項６】
ライトガイドにおける光源側の端面に剛性を有する透光板が取り付けられて成ることを特徴とする請求項５記載のライトガイドを用いた照明装置。
【請求項７】
接続部材の内周面の少なくとも一部には拡散反射面が形成されていることを特徴とする請求項１ないし請求項６記載のライトガイドを用いた照明装置。
【請求項８】
接続部材の内周面の少なくとも一部はシリコンゴムにより形成されていることを特徴とする請求項７記載のライトガイドを用いた照明装置。
【請求項９】
接続部材の内周面の少なくとも一部には鏡面が形成されていることを特徴とする請求項１ないし請求項８記載のライトガイドを用いた照明装置。
【発明の詳細な説明】
【０００１】
【発明の属する技術分野】
本発明は、筒状に形成され端部に配置した光源から導入した光を周壁を通して漏光させるライトガイドを用いて照明を行なうライトガイドを用いた照明装置に関するものである。
【０００２】
【従来の技術】
従来より、図１２に示すように、筒状（円筒状）に形成されたライトガイド１の長手方向の一端部に光源２を配置し、ライトガイド１の長手方向の他端部にエンドリフレクタ（図１５参照）３を配置した構成を有し、光源２からライトガイド１に導入された光をライトガイド１の長手方向に導光しながら周壁を通して徐々に漏光させることによって、照明を行なうことが考えられている。ライトガイド１は、図１３に示すように、最大４層の構造を有し、光源２からの光を導光しかつ漏光する機能はプリズムシート１１により実現されている。プリズムシート１１はポリカーボネートのような透明な合成樹脂により形成されたものであり、図１４に示すように、長手方向に直交する断面において外側面に凹凸を形成してあり、凸部の頂角は９０度に設定されている。また、内側面は滑らかに形成されている。したがって、内側面からの光の入射角に応じて一部の光はプリズムシート１１を通り抜け、残りの光はプリズムシート１１で反射されることになる。プリズムシート１１は通常は平板状のものを丸めることによって円筒状に形成される。
【０００３】
プリズムシート１１の内側には、白色合成樹脂シートよりなるエクストラクタフィルム１２が必要に応じて配置され、エクストラクタフィルム１２を設ける位置に応じて配光が制御される。一方、プリズムシート１１の外側には、白色合成樹脂シートよりなるリフレクタフィルム１３が必要に応じて配置され、リフレクタフィルム１３を設けた部位ではプリズムシート１１からの光が遮光される。さらに、プリズムシート１１の外側はアウタフィルム１４により全周に亙って覆われる。リフレクタフィルム１３を設けているときには、アウタフィルム１４はリフレクタフィルム１３の外側に配置される。アウタフィルム１４はポリカーボネートよりなり、通常は円筒状のものを用いるが平板状のものを丸めて円筒状に形成される場合もある。また、アウタフィルム１４は透明ないし乳白色であって、全体を補強して強度を保つ機能を持つ。乳白色のものを用いる場合には光を拡散させる機能も持つことになる。
【０００４】
エンドリフレクタ３は、アルミニウムの成形品であってライトガイド１の端部に嵌着される。また、ライトガイド１の内部に臨む面は鏡面とされており、ライトガイド１からの光を反射する機能を有する。
しかして、光源２からライトガイド１に導入された光は、ライトガイド（プリズムシート１１）１の内周面で反射を繰り返しながら一部がプリズムシート１１を通過する。エクストラクタフィルム１２やリフレクタフィルム１３を設けていない部位では、プリズムシート１１を通過した光はアウタフィルム１４を通過して外部に取り出される。また、エンドリフレクタ３に到達した光は、エンドリフレクタ３により反射されてライトガイド１に戻り、最終的にはプリズムシート１１およびアウタフィルム１３を通して外部に取り出される。このようにして、ライトガイド１の略全長に亙って略均一な輝度でプリズムシート１１から、光を取り出すことができるのである。
【０００５】
ライトガイド１は適宜箇所で保持部材５０に支持され、天井構造材から吊りボルト５１を用いて吊下される。あるいはまた、天井面のような施工面に固定された保持部材（図示せず）によりライトガイド１が支持される場合もある。ライトガイド１を延長する場合には適宜の接続部材５２を用いてライトガイド１をつなぎ合わせる。ここに、保持部材５０と接続部材５２とは共通の部材を用いる場合もある。つまり、接続箇所で保持するのである。
【０００６】
【発明が解決しようとする課題】
ところで、ライトガイド１は延長可能であるから数十ｍに達する場合もある。このように長くなると熱膨張による伸縮が問題になる。たとえば、プリズムシート１１やアウタフィルム１４を構成するポリカーボネートは熱膨張率が６．８×１０-5／℃であって、４０ｍのライトガイド１を設置しているときに、季節、昼夜、冷暖房などによる温度差が３０℃あるとすれば、伸縮量は約８ｃｍになる。光源２はライトガイド１とは別に固定されているから、ライトガイド１が８ｃｍ伸縮するとすれば、ライトガイド１と光源２との接合部分に応力が作用し、ライトガイド１や光源２に変形が生じることになる。
【０００７】
また、この種の照明装置による直下照度は、図１５に示すように、ライトガイド１の長手方向において光源２からの距離が遠くなると徐々に低下するが、低下率は比較的小さく、ライトガイド１の中間部分では比較的均一な照度を得ることができる。しかしながら、ライトガイド１の長手方向の両端部では照度の低下が大きくなる。
【０００８】
本発明は上記事由に鑑みて為されたものであり、その目的は、ライトガイドが伸縮しても光源とライトガイドとの接合部分に応力が作用することのないライトガイドを用いた照明装置を提供することにある。また、ライトガイドの長手方向の両端部での直下照度の低下を少なくすることも目的としている。
【０００９】
【課題を解決するための手段】
請求項１の発明は、筒状に形成され端部に配置した光源から導入した光を周面から漏光させるライトガイドを用いた照明装置であって、光源に結合されライトガイドとは挿入結合される筒状の接続部材を設け、接続部材においてライトガイドと挿入結合される部位には内側になる部材の外径と外側になる部材の内径とが等しくなるように構成されかつライトガイドの軸方向の伸縮を許して接続部材とライトガイドとの相互の挿入深さを可変とするスライド部が形成されたものである。この構成によれば、ライトガイドが伸縮しても接続部材がライトガイドとの挿入深さを可変とするスライド部を備えていることによって、ライトガイドの伸縮の影響が光源に及ぶのを防止することができる。
【００１０】
請求項２の発明は、請求項１の発明において、接続部材が、光源の出射面に対して光源寄りに延長された部位にスライド部を備え、スライド部がライトガイド内に挿入されるものである。この構成では、スライド部がライトガイド内に挿入されるから、ライトガイドの光源側の端部がスライド部によって保形され、ライトガイドの変形を防止することができる。
【００１１】
請求項３の発明は、請求項１の発明において、接続部材が、光源の出射面に対して光源から離れる向きに延長された部位にスライド部を備え、スライド部とライトガイドとの少なくとも一方が他方に挿入されるものである。この構成では、光源から離れる向きに接続部材が延長されているから、スライド部の寸法を比較的大きくとることができ、ライトガイドの伸縮の吸収量を大きくすることができる。
【００１２】
請求項４の発明は、請求項３の発明において、スライド部がライトガイド内に挿入されるものである。この構成では、スライド部がライトガイド内に挿入されるから、ライトガイドの光源側の端部がスライド部によって保形され、ライトガイドの変形を防止することができる。
請求項５の発明は、請求項３の発明において、ライトガイドがスライド部内に挿入されるものである。この構成では、ライトガイド内にスライド部が挿入されることにより接続部材の露出量が少なくなり、外観が向上するものである。
【００１３】
請求項６の発明は、請求項５の発明において、ライトガイドにおける光源側の端面に剛性を有する透光板が取り付けられているものである。この構成によれば、ライトガイドを接続部材に挿入しているにもかかわらず、ライトガイドの端部に設けた透光板がライトガイドを保形することによってライトガイドの変形を防止することができる。
【００１４】
請求項７の発明は、請求項１ないし請求項６の発明において、接続部材の内周面の少なくとも一部には拡散反射面が形成されているものである。この構成によれば、接続部材の内周面で光源からの光を拡散反射させることによってライトガイドの端部に導入される光量を制御することが可能になり、ライトガイドの光源側の端部での光量低下を抑制することが可能になる。
【００１５】
請求項８の発明は、請求項７の発明において、接続部材の内周面の少なくとも一部はシリコンゴムにより形成されているものである。この構成によれば、拡散反射面を容易に形成することができる。
請求項９の発明は、請求項１ないし請求項８の発明において、接続部材の内周面の少なくとも一部には鏡面が形成されているものである。この構成によれば、接続部材の内周面で光源からの光を正反射させることによってライトガイドの端部に導入される光量を制御することができるから、ライトガイドの光源側の端部での光量低下を抑制することができる。
【００１６】
【発明の実施の形態】
（実施形態１）
図１に示すように、ライトガイド１の長手方向の一端部に接続部材４を介して光源２が接続される。ライトガイド１は、天井面のような施工面に固定されるレースウェイ３１と、ライトガイド１に掛け回されるとともに上端部がレースウェイ３１にビス止めされた支持体３２とにより保持される。支持体３２は透明な合成樹脂により形成され、目立ちにくくかつライトガイド１からの出射光量を低下させない材料が選択される。また、支持体３２はライトガイド１の伸縮を許す程度の強さでライトガイド１を保持している。ライトガイド１の構成については従来例として説明した通りであってプリズムシート１１を用いた複数層の構造になっている。
【００１７】
光源２は、ＨＩＤランプや無電極放電ランプよりなるランプ２１を用い、アルミニウムをへら絞り成形することにより形成した反射器２２を備える。反射器２２は開口面が円形に形成されている。また、ランプ２１を点灯させるための点灯装置を内蔵した光源ユニット２３を備え、光源ユニット２３にランプ２１および反射器２２が取り付けられている。この光源ユニット２３は吊りボルト２４により天井面のような施工面に固定されている。反射器２２の開口付近にはガラス板よりなる透光板２５が保持される。つまり、図２に示すように、反射器２２の開口部には内径を広げる形で断面略コ字形の保持溝２２ａが形成され、この保持溝２２ａ内にパッキン２６とともに透光板２５の周部が嵌着される。パッキン２６は透光板２５を挟んでランプ２１から遠い側に配置される。
【００１８】
接続部材４は、一端部が反射器２２の開口付近の外周側に嵌合する円筒状に形成されている。接続部材４は、シリコンゴムのように耐熱性と断熱性とを兼ね備えた材料により形成された主筒４１の外側面に金属板よりなる固定筒４２を固着したものであり、主筒４１の一端部に形成した段部４３を反射器２２の開口部外周に当接させることによって、主筒４１が反射器２２に対して位置決めされるようになっている。また、固定筒４２は主筒４１に対して軸方向で光源２から離れる向きに延長されており、この延長部位には固定ねじ４４が螺合している。固定ねじ４４は接続部材４に複数本設けられており、固定ねじ４４の先端を反射器２２の外周面に当接させることによって、接続部材４が反射器２２に固定されるようになっている。つまり、光源２の出射面である透光板２５から見て光源２から離れる向きに延長されていることになる。
【００１９】
主筒４１の他端部は、スライド部としての内筒４１ａおよび外筒４１ｂからなる二重筒を有しており、内筒４１ａと外筒４１ｂとの間にはスライド溝４１ｃが形成されている。主筒４１の軸方向において内筒４１ａは外筒４１ｂよりも長く形成されている。また、外筒４１ｂの外周には全長に亙って固定筒４２が重複する。外筒４１ｂの内径はライトガイド１の外径にほぼ等しく、内筒４１ａの外径はライトガイド１の内径にほぼ等しくなるように形成されている。内筒４１ａの内周面は拡散反射面もしくは鏡面となるように仕上げられている。主筒４１を白色のシリコンゴムにより形成している場合には主筒４１が拡散反射面として兼用されることになる。また、鏡面とする場合には、鏡面仕上げを施した板金を配置する。
【００２０】
主筒４１の内周面において透光板２５の近傍にはオプションとしての別の透光板を取り付けることができるように取付溝４１ｄが形成されている。この取付溝４１ｄには、たとえば色フィルタなどを取り付けることができる。
ライトガイド１は、使用環境における温度変化の中央値付近で外筒４１ｂの先端にライトガイド１の端部をほぼ一致させる形で取り付けられる。このようにして、ライトガイド１が内筒４１ａの先端からスライド溝４１ｃの内端までの範囲（つまり、内筒４１ａの長さ範囲Ｄ1 ）で伸縮しても、反射器２２には応力が作用せず、ライトガイド１や光源２の変形を防止することができる。
【００２１】
また、主筒４１の内周面が拡散反射面ないし鏡面に仕上げられているから、ライトガイド１の端部付近での漏光量を増加させることが可能である。この場合、鏡面に近いほど漏光量が減少するから、拡散反射の程度を適宜に設定すると、ライトガイド１の端部付近での直下照度を調節することが可能になる。
なお、光源２はライトガイド１の長手方向の両端部に配置すれば、ライトガイド１の長手方向における直下照度をより均一化することが可能になる。また、ライトガイド１が長い場合に、ライトガイド１の端部のみで伸縮を吸収すると接続部材４の寸法が長くなるから、図３に示すようにライトガイド１同士を接続する接続部材５において接続部材４と同様の構成を採用してもよい。なお、ライトガイド１の端部に接続部材４，５を取り付けることによって、接続部材４，５がライトガイド１を保形することになる。
【００２２】
（実施形態２）
本実施形態は、図４に示すように、反射器２２の開口付近の外周面に接続部材４を取り付けたものである。接続部材４はシリコンゴムのような耐熱性と断熱性とを兼ね備えるものを用い、しかも透明（透光性）のものを用いる。この接続部材４は円筒状であって反射器２２の開口付近の外周面に形成された段差に嵌合する形の段差部４ａを有し、また接続部材４の外周にはライトガイド１の内径にほぼ一致する外径を有したスライド部４ｂが形成されている。スライド部４ｂの一端部には突条４ｃが形成され、この突条４ｃによりライトガイド１の最大伸び量が規制されている。この接続部材４は弾性を利用して反射器２２に取り付けるか、あるいは接着する。この構成により、光源２の出射面である透光板２５から見て接続部材４のスライド部４ｂは光源寄りに延長されていることになる。
【００２３】
しかして、この構成ではライトガイド１をスライド部４ｂの範囲Ｄ2 で伸縮させることが可能であり、しかも、接続部材４が透明であるから一部の光は接続部材４を通してライトガイド１に入射し、ライトガイド１において接続部材４に重複している部位からも漏光させることができるようになる。このように、ライトガイド１が接続部材４を覆うことにより、接続部材４の露出量が減少する。また、ライトガイド１の端からも光を取り出すことができるようになり見栄えが向上する。
【００２４】
エンドリフレクタ３についても、図４に示すように、接続部材６を介してライトガイド１に取り付け、接続部材６を透明材料で形成しておけば、エンドリフレクタ３側の端部においてもライトガイド１の端から光を取り出すことができるようになる。他の構成および機能は実施形態１と同様である。
（実施形態３）
本実施形態の接続部材４は、図５に示すように、ライトガイド１を内周側に装着するものである。すなわち、金属製の固定筒４２の内周側にシリコンゴムなどの筒体４５を装着したものであって、筒体４５の内径をライトガイド１の外径にほぼ一致させてある。この接続部材４は、実施形態１と同様に固定ねじ４４を用いて反射器２２に固定される。しかして、筒体４５の長さ範囲でライトガイド１の伸縮を吸収することができるのである。この構成では、筒体４５は単純な円筒形であり特別な金型が不要であるから、製造が容易になる。他の構成および機能は実施形態１と同様である。
【００２５】
（実施形態４）
本実施形態の接続部材４は、図６に示すように、実施形態３の構成に加えて反射器２２の開口面と筒体４５との間に金属製の爪片４６を設けたものである。このような爪片４６を設けることによって、光源２からの直射光や熱による筒体４５の劣化を防止することができる。他の構成および機能は実施形態３と同様である。
【００２６】
（実施形態５）
本実施形態の接続部材４は、図７に示すように、金属製の固定筒４２に金属製の内筒４７を一体に結合し、反射器２２の開口周部への当接部位にシリコンゴムよりなるパッキン４８を取り付けたものである。内筒４７の一部は固定筒４２に対してスポット溶接などの固着技術によって固着され、内筒４７の他の部位と固定筒４２との間にはスライド溝４ｄが形成されている。ライトガイド１の端部はスライド溝４ｄに挿入され、スライド溝４ｄの中で伸縮することになる。また、パッキン４８は固定筒４２と内筒４７との接合部位に重なる形で内筒４７の内周面に接着される。固定筒４２は実施形態１と同様に固定ねじ４４を用いて反射器２２に固定される。この構成では、実施形態１と同様の機能を持ちながら、シリコンゴムの成形が不要であって、金型費用を削減することができる。他の構成および機能は実施形態１と同様である。
【００２７】
（実施形態６）
本実施形態の接続部材４は、図８（ａ）に示すように、アルミニウムやステンレスなどの剛体により形成された円筒状の固定筒６１と、ライトガイド１の端部に取り付けたシリコンゴムなどからなるパッキン６２とからなり、固定筒６１の内側でパッキン６２を軸方向に移動可能としているものである。つまり、固定筒６１がスライド部を形成している。パッキン６２にはガラス板よりなる透光板２７が装着される。この透光板２７は剛性を有しているから、ライトガイド１の変形を防止することができる。
【００２８】
固定筒６１は光源２側の一端部の内周面に突条６１ａを有し、固定筒６１の端部内周面と突条６１ａとが反射器２２に当接する形で反射器２２に固着される。ここに、固定筒６１は反射器２２に対してスポット溶接や接着により固着される。あるいはまた、実施形態１と同様の構成を採用して固定ねじにより固定してもよい。この構成により、固定筒６１の中でパッキン６２が軸方向にスライド可能になるのであり、ライトガイド１が伸縮しても固定筒６１内で吸収することができるのである。
【００２９】
ところで、固定筒６１の内周面は白色に塗装されるか白色のシートが貼着されている。したがって、固定筒６１の内周面には拡散反射面６１ｂが形成され、場合によっては鏡面を固定筒６１の内周面に鏡面を形成することもある。
いま、図９（ａ）に示すように、ライトガイド１の端部および透光板２７を保持するパッキン６２を反射器２２に対して移動しないように固定しているものとする。この構成ではライトガイド１の直下照度は、図９（ｂ）のようになり、ライトガイド１の両端部での比較的大きな照度低下が見られる。これに対して、図８（ａ）の構成を採用した場合には、ライトガイド１の直下照度は図８（ｂ）の実線のようになる（図８（ｂ）の一点鎖線は図９（ａ）の構成における照度）。図より明らかなように、本実施形態の構成を採用したことにより、ライトガイド１の光源２側の端部での照度の低下が少なくなり、直下照度が均一化される。他の構成および機能は実施形態１と同様である。
【００３０】
（実施形態７）
本実施形態の接続部材４は、図１０（ａ）のように、反射器２２の開口側の形状を変形して固定筒６１を形成したものである。つまり、反射器２２の開口部に直径の比較的大きい円筒状の部分を連続一体に形成し、この円筒状の部分を固定筒６１としたものである。また、固定筒６１のうち図１０（ａ）における縦片に対向する押さえ板６３を設け、押さえ板６３を通して縦片に螺合する取付ねじ６４を設けている。透光板２５の周部は固定筒６１の縦片と押さえ板６３との間に挟持されるのであり、透光板２５の周部にはパッキン２６が配置される。ライトガイド１の端部に取り付けたパッキン６２が固定筒６１に対してスライド可能であるのは実施形態６と同様である。また、固定筒６１には実施形態６と同様に内周面に白色塗装を施して拡散反射面６１ｂを形成してある（必要に応じて鏡面でもよい）。この構成でも、図１０（ｂ）に実線で示すように、図９（ａ）の構成（図１０（ｂ）に一点鎖線で示す）に比較すると、ライトガイド１の光源２側の端部での直下照度の低下を抑制することができる。他の構成および機能は実施形態６と同様である。
【００３１】
（実施形態８）
本実施形態の接続部材４は、図１１（ａ）のように、固定筒６１の内周にゴムパッキン６５を固着し、ゴムパッキン６５を反射器２２の開口付近の外周面に当接させる形で反射器２２に固定している。また、ライトガイド１の端部には固定筒６１の中でスライド可能なパッキン６２を装着してある。固定筒６１においてパッキン６２がスライドする範囲の内周面には光源２側の半分に白色塗装を施した拡散反射面６１ｂを形成し、残りの半分には鏡面フィルムを貼着して正反射面６１ｃを形成してある。この構成を採用すると、図１１（ｂ）に実線で示すように、図９（ａ）の構成（図１１（ｂ）に一点鎖線で示す）に比較すると、ライトガイド１の光源２側の端部での直下照度の低下を抑制することができる。他の構成および機能は実施形態６と同様である。
【００３２】
【発明の効果】
請求項１の発明は、筒状に形成され端部に配置した光源から導入した光を周面から漏光させるライトガイドを用いた照明装置であって、光源に結合されライトガイドとは挿入結合される筒状の接続部材を設け、接続部材においてライトガイドと挿入結合される部位には内側になる部材の外径と外側になる部材の内径とが等しくなるように構成されかつライトガイドの軸方向の伸縮を許して接続部材とライトガイドとの相互の挿入深さを可変とするスライド部が形成されたものであり、ライトガイドが伸縮しても接続部材がライトガイドとの挿入深さを可変とするスライド部を備えていることによって、ライトガイドの伸縮の影響が光源に及ぶのを防止することができるという利点がある。
【００３３】
請求項２の発明のように、接続部材が、光源の出射面に対して光源寄りに延長された部位にスライド部を備え、スライド部がライトガイド内に挿入されるものでは、スライド部がライトガイド内に挿入されるから、ライトガイドの光源側の端部がスライド部によって保形され、ライトガイドの変形を防止することができるという利点がある。
【００３４】
請求項３の発明のように、接続部材が、光源の出射面に対して光源から離れる向きに延長された部位にスライド部を備え、スライド部とライトガイドとの少なくとも一方が他方に挿入されるものでは、光源から離れる向きに接続部材が延長されているから、スライド部の寸法を比較的大きくとることができ、ライトガイドの伸縮の吸収量を大きくすることができるという利点がある。
【００３５】
請求項４の発明のように、スライド部がライトガイド内に挿入されるものでは、スライド部がライトガイド内に挿入されるから、ライトガイドの光源側の端部がスライド部によって保形され、ライトガイドの変形を防止することができるという利点を有する。
請求項５の発明のように、ライトガイドがスライド部内に挿入されるものでは、ライトガイド内にスライド部が挿入されることにより接続部材の露出量が少なくなり、外観が向上するという利点がある。
【００３６】
請求項６の発明のように、ライトガイドにおける光源側の端面に剛性を有する透光板が取り付けられているものでは、ライトガイドを接続部材に挿入しているにもかかわらず、ライトガイドの端部に設けた透光板がライトガイドを保形することによってライトガイドの変形を防止することができるという利点がある。
請求項７の発明のように、接続部材の内周面の少なくとも一部は拡散反射面が形成されているものでは、接続部材の内周面で光源からの光を拡散反射させることによってライトガイドの端部に導入される光量を制御することが可能になり、ライトガイドの光源側の端部での光量低下を抑制することが可能になるという利点がある。
【００３７】
請求項８の発明のように、接続部材の内周面の少なくとも一部はシリコンゴムにより形成されているものでは、拡散反射面を容易に形成することができるという利点がある。
請求項９の発明のように、接続部材の内周面の少なくとも一部に鏡面が形成されているものでは、接続部材の内周面で光源からの光を正反射させることによってライトガイドの端部に導入される光量を制御することができるから、ライトガイドの光源側の端部での光量低下を抑制することができるという利点を有する。
【図面の簡単な説明】
【図１】実施形態１を示す断面図である。
【図２】同上の要部断面図である。
【図３】同上の要部断面図である。
【図４】実施形態２を示す要部断面図である。
【図５】実施形態３を示す要部断面図である。
【図６】実施形態４を示す要部断面図である。
【図７】実施形態５を示す要部断面図である。
【図８】実施形態６を示し、（ａ）は要部断面図、（ｂ）は動作説明図である。
【図９】比較例を示し、（ａ）は要部断面図、（ｂ）は動作説明図である。
【図１０】実施形態７を示し、（ａ）は要部断面図、（ｂ）は動作説明図である。
【図１１】実施形態８を示し、（ａ）は要部断面図、（ｂ）は動作説明図である。
【図１２】従来例を示す概略構成図である。
【図１３】同上に用いるライトガイドを示す斜視図である。
【図１４】同上に用いるプリズムシートの動作説明図である。
【図１５】同上の動作説明図である。
【符号の説明】
１  ライトガイド
２  光源
４  接続部材
４ｂ  スライド部
４ｄ  スライド溝
２７  透光板
４１ａ  内筒
４１ｂ  外筒
４１ｃ  スライド溝
６１ｂ  拡散反射面
６１ｃ  正反射面
【図１】
0003718959.tif 000002
【図２】
0003718959.tif 000003
【図３】
0003718959.tif 000004
【図４】
0003718959.tif 000005
【図５】
0003718959.tif 000006
【図６】
0003718959.tif 000007
【図７】
0003718959.tif 000008
【図８】
0003718959.tif 000009
【図９】
0003718959.tif 000010
【図１０】
0003718959.tif 000011
【図１１】
0003718959.tif 000012
【図１２】
0003718959.tif 000013
【図１３】
0003718959.tif 000014
【図１４】
0003718959.tif 000015
【図１５】
0003718959.tif 000016